(57)【要約】【課題】  壁材として組付木材を用いても、壁面の質感として、無垢の木材を用いたものと同様の重厚な質感を得ることができる木製構造物を提供する。【解決手段】  内部に中空部３５が形成されるようにして複数の木製部材が接合されてなる組付木材により構成された壁材１０と、前記複数の木製部材間の接合線が露呈する面を上面及び下面として複数の前記壁材１０が積重されてなる壁面２０とを備える。また、前記壁材１０は、離間して対向配置された一対の第１木製部材と、該第１木製部材間において各第１木製部材の離間方向と交差する方向に離間して対向配置された一対の第２木製部材とを一体化した組付木材により構成されている。【選択図】  図１
2005089968.tif 000002
【特許請求の範囲】
【請求項１】
内部に中空部が形成されるようにして複数の木製部材を一体化した組付木材により構成された壁材と、
前記複数の木製部材間の接合線が露呈する面を上面及び下面として複数の前記壁材が積重されてなる壁面と
を備えることを特徴とする木製構造物。
【請求項２】
前記壁材は、離間して対向配置された一対の第１木製部材と、該第１木製部材間において各第１木製部材の離間方向と交差する方向に離間して対向配置された一対の第２木製部材とを一体化した組付木材により構成されていることを特徴とする請求項１に記載の木製構造物。
【請求項３】
前記壁材は、立設された複数の柱材間にて積重されており、
該壁材と前記柱材とは、夫々に設けられた装着溝に装着された連結部材によって連結されていることを特徴とする請求項１または請求項２に記載の木製構造物。
【発明の詳細な説明】
【技術分野】
【０００１】
本発明は、木製構造物に関するものであり、詳しくは、壁材が積重されてなる壁面を備えた木製構造物に関するものである。
【背景技術】
【０００２】
ログハウスや木造住宅等の木製建築物、カウンターや間仕切り等の木製屋内設備、遊具や柵等の木製屋外設備、或は木製家具等の種々の木製構造物の中には、壁材が積重されてなる壁面を備えたものがある。そして、このような木製構造物では、壁材として、無垢の木材を用いることで、壁面の重厚な質感が得られるようにすることが一般的になされているが、これに対して、壁材の軽量化等のために、壁材として、内部に中空部が形成されるようにして複数の木製部材を一体化した組付木材を用いることが案出されている。
【０００３】
【特許文献１】特開平１１−２８７０１６号公報
【発明の開示】
【発明が解決しようとする課題】
【０００４】
しかしながら、単に、組付木材からなる壁材を積重して壁面を形成することとすると、壁面に、組付木材を構成する木製部材同士の接合線が露呈して、壁面の重厚な質感を低下させてしまう。特に、ログハウス等の木製建築物では、外壁面が風雨に晒されるため、この外壁面に木製部材同士の接合線が露呈していると、この接合線に雨水が進入して接合線が黒ずみ、重厚な質感が低下されるばかりでなく、壁面の美観も損なわれてしまう。
【０００５】
本発明は、上記実状を鑑みてなされたものであり、壁材として組付木材を用いても、壁面の質感として、無垢の木材を用いたものと同様の重厚な質感を得ることができる木製構造物の提供を課題とする。
【課題を解決するための手段】
【０００６】
上記課題を解決するための主要な手段は、
「内部に中空部が形成されるようにして複数の木製部材を一体化した組付木材により構成された壁材と、
前記複数の木製部材間の接合線が露呈する面を上面及び下面として複数の前記壁材が積重されてなる壁面と
を備えることを特徴とする木製構造物」
である。
【０００７】
ここで、複数の木製部材を一体化した組付木材の構造としては、特に限定するものではなく、相互の係止、接着剤による接着、ボルト締めや釘止めによる固定等、適宜の手法によって複数の木製部材を一体化したものであればよい。
【０００８】
このように構成された木製構造物では、壁材を構成する木製部材同士の接合線が壁面に露呈しない。よって、壁材として組付木材を用いても、壁面の質感として、無垢の木材を用いたものと同様の重厚な質感を得ることができる。特に、木製構造物を、風雨に晒される外壁面を備えた木製建築物とすると、木製部材同士の接合線が木製建築物の外壁面に露呈しないことから、外壁面の十分な美観も確保でき、好適である。
【０００９】
上述した手段において、
「前記壁材は、離間して対向配置された一対の第１木製部材と、該第１木製部材間において各第１木製部材の離間方向と交差する方向に離間して対向配置された一対の第２木製部材とを一体化した組付木材により構成されていることを特徴とする木製構造物」
としてもよい。
【００１０】
上記構成は、壁材の構成を具体的に特定したものであり、上記構成によれば、内部に中空部を備え、木製部材同士の接合線が露呈する面を上面及び下面とした壁材を、簡単な構造によって形成することができる。
【００１１】
上述した手段において、
「前記壁材は、立設された複数の柱材間にて積重されており、
該壁材と前記柱材とは、夫々に設けられた装着溝に装着された連結部材によって連結されていることを特徴とする木製構造物」
としてもよい。
【００１２】
従来、木製構造物を構成する壁材や柱材等の構成材を相互に連結するために、一方の構成材の端部にホゾを設け、他方の構成材の側面にホゾ穴を設けて、ホゾをホゾ穴に挿嵌することで構成材を相互に連結することが一般的に行われている。
【００１３】
しかしながら、上述のように構成された木製構造物では、壁材が中空部を有するものであることから、壁材の端面に、十分な強度を有するホゾを設けることが困難である。そこで、上記構成では、柱材と壁材とを直接的に連結せず、柱材及び壁材の各装着溝に装着された連結部材を介して連結する。これにより、ホゾとホゾ穴との挿嵌による連結構造を採用しなくても、柱材と壁材とを堅固に連結することができる。
【発明の効果】
【００１４】
上述のように、本発明によれば、壁材として組付木材を用いても、壁面の質感として、無垢の木材を用いたものと同様の重厚な質感を得ることができる木製構造物を提供することができる。
【発明を実施するための最良の形態】
【００１５】
本発明に係る木製構造物の実施形態を、以下に、図面に基づいて詳細に説明する。
【００１６】
図１に、本発明に係る木製構造物１の一例を示す。この木製構造物１は、壁面２０を有するものであり、この壁面２０は、適宜部位に立設された柱材６０間において、角材状の組付木材から構成された壁材１０を積重して形成されている。なお、本例では、木製構造物１として、ログハウス等の木製建築物を示し、壁面２０は、木製建築物の内壁面及び外壁面を構成するものとなっている。また、柱材６０と個々の壁材１０とは、個々の壁材１０ごとに、柱材６０の装着溝２３ａと壁材１０の装着溝２３ｂとに装着された別途の連結部材５０を用いて、相互に連結されている。なお、この連結の詳細については、後述する。
【００１７】
図２に示すように、壁材１０は、内部に長手方向に貫通する中空部３５が形成されるようにして、複数の木製部材、具体的には一対の第１木材部材３０及び一対の第２木製部材４０の４つの木製部材を一体化してなるものである。具体的には、以下の通りである。
【００１８】
一対の第１木製部材３０は、夫々、断面形状が略方形状に形成されており、互いに離間して対向配置されている。また、一対の第２木製部材４０は、夫々、断面形状が略方形状に形成されており、第１木製部材３０間において、第１木製部材３０の離間方向に交差する方向、具体的には略直交する方向に互いに離間して対向配置され、各第１木製部材３０と一体化されている。これにより、この壁材１０では、各第１木製部材３０の裏面と各第２木製部材４０の裏面とにより、壁材１０の全長に渡って貫通する略方形の中空部３５が構成されている。
【００１９】
また、第２木製部材４０は、第１木製部材３０の側端面（図示では、上下の端面）と略面一となるように、一対の第１木製部材３０の間に埋設状に組み付けられている。よって、この壁材１０では、各第１木製部材３０と各第２木製部材４０との接合線１１が、壁材１０の上面及び下面に露呈する。そして、木製構造物１では、同様に構成された壁材１０が積重されて壁面２０が形成されるため、外壁面及び内壁面の双方の表面には、第１木製部材３０のみが露呈し、各第１木製部材３０と各第２木製部材４０との接合線１１は、壁面２０に露呈しない。よって、壁面２０は、あたかも、無垢の木材を積重して形成されているかのような外観となり、壁面２０の質感は、無垢の木材を用いて形成したのと同様の重厚な質感となっている。
【００２０】
さらに、壁材１０の上面には、壁材１０の長手方向に沿って凸状の上面案内部３８ａが設けられ、下面には、壁材２０の長手方向に沿って凹状の下面案内部３８ｂが設けられている。具体的には、第１木製部材３０の上端面に形成された段差部分によって、上面案内部３８ａが構成されており、第１木製部材３０の下端面に形成された段差部分によって、下面案内部３８ｂが構成されている。ここで、本例においては、上面案内部３８ａ及び下面案内部３８ｂの双方の内側に第１木製部材３０と第２木製部材４０との接合線１１が配置されるように、上面案内部３８ａ及び下面案内部３８ｂが形成されている。
【００２１】
このような上面案内部３８ａ及び下面案内部３８ｂを有する壁材１０を積重する際には、下側の壁材１０の上面案内部３８ａに、上側の壁材１０の下面案内部３８ｂが凹凸嵌合し、下側の壁材１０に対して上側の壁材１０が的確に位置合わせされ、ガタツキ難く良好に積重される。なお、上面案内部３８ａを凹状とし、下面案内部３８ｂを凸状としてもよいが、上述のような態様が好適である。何故ならば、下側の壁材１０の上面案内部３８ａが凸状であると、この上面案内部３８ａに雨水等の水分が溜まり難いからである。また、上面案内部３８ａ及び下面案内部３８ｂの相互の凹凸嵌合の寸法については、１〜１０ｍｍ、好ましくは、２〜８ｍｍ、更に好ましくは、３〜５ｍｍに設定するのがよい。何故ならば、寸法が小さ過ぎると、良好な位置合わせを実現できなくなる一方で、寸法が大き過ぎると、壁材１０自体の高さが大寸となり、壁材１０の全高を構成する第１木製部材３０として、幅広の木材を必要とするからである。
【００２２】
なお、上面案内部３８ａ及び下面案内部３８ｂの構成としては、上述の構成に限らず、壁材１０の上面においては、第２木製部材４０を第１木製部材３０から突出させ、この突出する第２木製部材４０の側面及び上面によって、凸状の上面案内部３８ａが形成されるようにしてもよい。また、壁材１０の下面においては、第２木製部材４０を第１木製部材３０に埋没させ、この埋没する第２木製部材４０の下面及び第１木製部材３０の裏面によって、凹状の下面案内部３８ｂが形成されるようにしてもよい。このような態様によれば、第１木製部材３０自体や第２木製部材４０自体に切削加工等の成形加工を施さなくても、第１木製部材３０と第２木製部材４０とを組付けることで、上面案内部３８ａ及び下面案内部３８ｂを形成することができる。
【００２３】
次に、図３に基づいて、第１木製部材３０と第２木製部材４０との相互の組付けについて詳述する。なお、図３では、上面案内部３８ａや下面案内部３８ｂ等、組付けに直接に関係しない構成についての図示を省略する。
【００２４】
第１木製部材３０の裏面の中央部分は略凸状となっており、この略凸状部分の側面には、第１木製部材３０の幅方向に凹陥する凹部３１ｂ、及び、第１木製部材３０の幅方向に突出する凸部３１ａが、夫々、第１木製部材３０の長手方向全長に渡って延設されている。そして、これら凹部３１ｂ及び凸部３１ａにより被係止部３１が構成されている。一方、第２木製部材４０の裏面の両側部分には、第２木製部材４０の厚さ方向に凹陥し、第１木製部材３０の凸部３１ａと嵌合する凹部４１ｂ、及び、第２木製部材４０の厚さ方向に突出し、第１木製部材３０の凹部３１ｂと嵌合する凸部４１ａが、夫々、第２木製部材４０の長手方向全長に渡って延設されている。そして、これら凹部４１ｂ及び凸部４１ａにより、第１木製部材３０の被係止部３１を係止する係止部４１が構成されている。このように、第１木製部材３０と第２木製部材４０とには、夫々互いに係止し合う被係止部３１及び係止部４１が設けられており、対向配置された一対の第１木製部材３０の夫々は、その被係止部３１が、両側から取り付けられた一対の第２木製部材４０の係止部４１に係止されて、相互の移動が規制され、対向して離間した状態で固定される。
【００２５】
なお、本例のように、第１木製部材３０の被係合部３１を、凹部３１ｂ及び凸部３１ａの双方を有するものとして構成し、第２木製部材４０の係合部４１を、凸部４１ａ及び凹部４１ｂの双方を有するものとして構成するに限らず、被係合部３１または係合部４１の一方を、凹部３１ｂ，４１ｂを少なくとも有するものとして構成し、他方を、この凹部３１ｂ，４１ｂに嵌合する凸部４１ａ，３１ａを少なくとも有するものとして構成してもよく、或は、被係合部３１及び係合部４１を、凹凸嵌合ではなく、引掛けや挟持等の他の手法により係止を実現できる形態のものとしてもよい。また、係止部４１及び被係止部３１は、相互に係止し合うものであればよく、第１木製部材３０側を係止部、第２木製部材４０側を被係止部としてもよい。
【００２６】
一対の第１木製部材３０間に組み付けられた一対の第２木製部材４０は、そのままでは、不用意に外れてしまうため、第１木製部材３０及び第２木製部材４０の全体で、堅固に一体となった壁材１０とはならない。そこで、本例では、第１木製部材３０と第２木製部材４０との間にクサビ部材３７が設けられており、このクサビ部材３７により、第１木製部材３０からの第２木製部材４０の不用意な外れが防止されている。具体的には、以下の通りである。
【００２７】
第１木製部材３０の裏面の両側部分には、凹部３１ｂ及び凸部３１ａの凹陥及び突出方向とは異なる方向、より具体的には略直交する方向、である第１木製部材３０の厚さ方向に凹陥し、長手方向の全長に渡って延設された第１溝部３２が凹設されている。一方、第２木製部材４０の両側面には、第１木製部材３０の第１溝部３２と対向するように、凹部４１ｂ及び凸部４１ａの凹陥及び突出方向とは異なる方向、より具体的には略直交する方向、である第２木製部材４０の幅方向に凹陥し、長手方向の全長に渡って延設された第２溝部４２が凹設されている。そして、上記第１溝部３２と上記第２溝部４２とで、壁材１０の全長に渡って貫通する略方形状の孔部３６が構成されている。
【００２８】
この孔部３６には、孔部３６に充填されて硬化した樹脂により形成された部材や、予め孔部３６に応じた形状に形成され、壁材１０の長手方向から孔部３６に挿入された部材等、適宜の部材からなるクサビ部材３７が設けられている。そして、このクサビ部材３７によって、第１木製部材３０からの第２木製部材４０の不用意な外れが防止され、第１木製部材３０及び第２木製部材４０の全体で、堅固に一体化された壁材１０が形成されている。
【００２９】
なお、本例の木製構造物１では、壁材１０が、第１木製部材３０と第２木製部材４０とを組付けて全体で角材とした組付木材によって構成されているが、柱材６０についても、同様に、第１木製部材３０と第２木製部材４０とを組付けて全体で角材とした組付木材によって構成されている。
【００３０】
ところで、組付木材としては、上述の構造に限らず、第１木製部材３０や第２木製部材４０等の複数の木製部材を、接着剤等によって接着したり、ボルトにより締結したり、釘止め等により一体化したものであってもよく、さらには、上記の種々の一体化の手法を適宜組み合わせたものであってもよい。
【００３１】
また、第１木製部材３０の表面を、平面形状とするに限らず、円弧面形状としてもよい。このような態様では、あたかも丸太材が積重されてなるログハウス調の壁面２０とすることができる。
【００３２】
また、第１木製部材３０や第２木製部材４０等の一対の木製部材を同一形状とするに限らず、異形状としてもよい。例えば、一対の第１木製部材３０の一方を、表面が平面形状のものとし、他方を、表面が円弧面形状のものとすることで、外壁面または外壁面の一方を、表面が平坦な壁面２０とすることができる一方で、外壁面または外壁面の他方を、あたかも丸太材が積重されてなるログハウス調の壁面２０とすることができる。特に、内装面となる内壁面側の第１木製部材３０の表面を平面形状とし、外装面となる外壁面側の第１木製部材３０の表面を円弧面形状とすることで、内装面については、平坦でスッキリと納まる一方で、外装面については、ログハウス調の風合いに優れた木製構造物１とすることができる。
【００３３】
さらに、組付木材としては、一対の第１木製部材３０と一対の第２木製部材４０との４つの木製部材を一体化したものに限らず、２つまたは３つ、或は５つ以上の木製部材を一体化したものであってもよい。ここで、組付木材によって壁材１０を構成する場合には、木製部材相互の接合線１１が上面及び下面に露呈するように、複数の木製部材を一体化して組付木材を形成すればよい。例えば、複数の木製部材を、壁材１０の厚さ方向に並設して一体化すればよい。
【００３４】
次に、柱材６０と壁材１０との連結について詳述する。
【００３５】
図４に示すように、柱材６０の側面には、高さ方向に沿って、アリ溝状、より具体的には断面が略鳩尾状の装着溝２３ａが凹設されており、この装着溝２３ａは、柱材６０の上端に開放されている。
【００３６】
一方、壁材１０の端面には、高さ方向に沿って、アリ溝状、より具体的には断面が略Ｔ字状の装着溝２３ｂが凹設されている。ここで、装着溝２３ｂは、壁材１０の上面にて開放されてはいるものの、壁材１０の下面にて閉塞されており、壁材１０の上下に貫通せず、壁材１０の端部を全高に渡って壁材１０の厚さ方向に分断しないものとなっている。よって、装着溝２３ｂを具備していても、壁材１０の端部の十分な強度が確保されている。
【００３７】
柱材６０と壁材１０とは、一端側に、柱材６０の装着溝２３ａに装着される柱材側装着部５１を有し、他端側に、壁材１０の装着溝２３ｂに装着される壁材側装着部５２を有し、木材、樹脂、金属等の適宜の材質によって形成された連結部材５０によって連結されている。ここで、連結部材５０の柱材側装着部５１は、柱材６０の装着溝２３ａにアリ嵌合するアリ状、より具体的には柱材６０の装着溝２３ａと雌雄を反転した形状に形成されており、連結部材５０の壁材側装着部５２ｂは、壁材１０の装着溝２３ｂにアリ嵌合するアリ状、より具体的には壁材１０の装着溝２３ｂと雌雄を反転した形状に形成されており、連結部材５０は、柱材６０及び壁材１０の双方に、ガタツキなく装着されている。よって、柱材６０と壁材１０とは、この連結部材５０によって、ガタツキなく堅固に連結されている。
【００３８】
柱材６０と壁材１０とを連結部材５０によって連結する作業では、柱材６０間に壁材１０を配置した状態で、柱材６０の上方から柱材６０の装着溝２３ｂに連結部材５０の柱材側装着部５１を挿入し、柱材６０に沿って連結部材５０を下降させ、壁材１０の上方から壁材１０の装着溝２３ｂに連結部材５０の壁材側装着部５２を挿入すればよい。また、本例では、壁材１０の装着溝２３ｂが壁材１０の下面にて閉塞していることから、積重される複数の壁材１０の個々において、個別の連結部材５０が装着されるのであるが、壁材１０の装着溝２３ｂを、壁材１０の上面及び下面の双方にて開放させた態様では、積重された壁材１０の各装着溝２３ｂが相互に連通することになる。よって、このような態様では、積重された複数の壁材１０に渡って共通の連結部材５０を装着するようにしてもよい。
【００３９】
また、本例では、連結部材５０の柱材側装着部５１が柱材６０の装着溝２３ａにアリ嵌合することから、柱材６０の上端から連結部材５０を下降させなければなならない。よって、柱材６０に対して連結部材５０を円滑に下降させることができるように、連結部材５０の柱側装着部５１の形状を、柱材６０の装着溝２３ａに対して十分なクリアランスが確保された形状とするのが好適である。このような態様であっても、連結部材５０の形態として、壁材側装着部５２が壁材１０の装着溝２３ｂに装着されると、柱材６０と壁材１０とを相互に引き付けるような形態に設定することで、柱材６０と壁材１０とのガタツキのない堅固な連結を実現することができる。
【００４０】
ところで、柱材６０の側面には、柱材６０の高さ方向に沿って凹状の案内部２４ａが延設されている。一方、壁材１０の端面には、案内部２４ａと係合する、より具体的には凹凸嵌合する凸状の係合部２４ｂが設けられている。そして、柱材６０の側面に壁材１０の端面を衝合した状態では、案内部２４ａと係合部２４ｂとの相互の係合によって、柱材６０の装着溝２３ａと壁材１０の装着溝２３ｂとが的確に位置合わせされる。よって、各装着溝２３ａ，２３ｂに連結部材５０を良好に装着することができる。
【００４１】
なお、案内部２４ａとしては、凹状に限らず、凸状としてもよく、係合部２４ｂとしては、凸状に限らず、凹状としてもよい。また、案内部２４ａと係合部２４ｂとは、柱材６０と壁材１０とを相互に位置合わせできる程度のものであればよいことから、大きな寸法の凹凸嵌合を要しないが、小さな寸法であり過ぎると、的確な位置合わせが実現できなくなる。一方で、大きな寸法であり過ぎると、柱材６０間の側方から壁材１０を入れ込み難くなり、柱材６０間への壁材１０の配置作業が煩雑となる。よって、凹凸嵌合の寸法は、１〜１０ｍｍ、好ましくは、２〜８ｍｍ、更に好ましくは、３〜５ｍｍに設定するのがよい。
【図面の簡単な説明】
【００４２】
【図１】本発明に係る木製構造物の一例を示す斜視図である。
【図２】壁材の断面正面図である。
【図３】第１木製部材と第２木製部材とを組付ける状態を示す断面正面図である。
【図４】柱材と組付木材とを連結する状態を示す斜視図である。
【符号の説明】
【００４３】
１      木製構造物
１０    壁材
１１    接合線
２０    壁面
２３ａ  装着溝
２３ｂ  装着溝
２４ａ  案内部
２４ｂ  係合部
３０    第１木製部材
３１    被係止部
３１ａ  凸部
３１ｂ  凹部
３２    第１溝部
３５    中空部
３６    孔部
３７    クサビ部材
３８ａ  上面案内部
３８ｂ  下面案内部
４０    第２木製部材
４１    係止部
４１ａ  凸部
４１ｂ  凹部
４２    第２溝部
５０    連結部材
５１    柱材側装着部
５２    壁材側装着部
６０    柱材
【図１】
2005089968.tif 000003
【図２】
2005089968.tif 000004
【図３】
2005089968.tif 000005
【図４】
2005089968.tif 000006